(57)【要約】【課題】様々な大きさと形式の異なる電池を挟持して収容できる電池収容挟持器を提供すること。【解決手段】四つの角台座、四つの調整リンク、伸縮プッシュロッド、及び押ヘッドを具備し、該伸縮プッシュロッドが、四つの角台座が囲まれる中心に設置され、押ヘッドが四つの角台座の上方に設置され、該四つの角台座の下方の二つの角台座の端部にストッパが対向的に突設され、且つ、四つの角台座の間に調整リンクが連結されるため、調整リンクで四つの角台座の間の大きさを調整できる。、様々な異なる大きさの電池が設置され、複数の同じ形式な電池を挟持収容でき、よって、複数の電池収容挟持器で様々な異なる形式の電池を収容する。【選択図】図１
0003127855.tif 000002
【実用新案登録請求の範囲】
【請求項１】
四つの角台座と、四つの調整リンクと、伸縮プッシュロッドと、押ヘッドとを具備し、
前記伸縮プッシュロッドが、四つの角台座が囲まれる領域の中心に設置され、
前記押ヘッドが四つの角台座の上方に設置され、
前記四つの角台座のうちの下方の二つの角台座の端部にストッパが対向して形成されていて、
前記四つの角台座の間の大きさを調整して、様々な大きさの異なる複数の同じ形式の電池を挟持して収容するように、前記四つの角台座の間を、調整リンクで連結したことを特徴とする、
電池収容挟持器。
【請求項２】
前記四つの角台座は、断面略Ｌ字形を呈し、且つ下方の二つの角台座の底辺が短縮して形成されることを特徴とする、請求項１に記載の電池収容挟持器。
【請求項３】
前記押ヘッドが四つの角台座の上方の調整リンクに設置されることを特徴とする、請求項１に記載の電池収容挟持器。
【請求項４】
前記収容挟持器の周縁が、電池を挟持する充電端子の所在位置に応じて充電端子を設置することを特徴とする、請求項１に記載の電池収容挟持器。
【請求項５】
前記収容挟持器が、複数の組で且つそれぞれ適当な距離で板上に設置されることを特徴とする、請求項１に記載の電池収容挟持器。
【請求項６】
前記収容挟持器が、複数の組で堆積され、且つ収容挟持器の間にそれぞれブラケットで隔ていることを特徴とする、請求項１に記載の電池収容挟持器。
【請求項７】
前記複数組の収容挟持器の長さが、上から下へ徐々に小さくなっていることを特徴とする、請求項５または６に記載の電池収容挟持器。
【考案の詳細な説明】
【技術分野】
【０００１】
本考案は電池収容挟持器に係わり、様々なタイプの携帯式電子製品の電池販売機または類似構造に関するものである。
【背景技術】
【０００２】
科学技術の進歩に伴い、様々な新型の電子情報器材が続々と現れている。携帯電話を一例にとると、その体積が小さく空間がかからず、且つ使用する上で非常に便利であるために、携帯電話の普及率が一人一機の如く盛況になっている。
【０００３】
一般に携帯電話に使用されている電池は、メーカ毎に設計する外観形状が異なり、購入時に電器屋へ行って選ばなければらず、一般の乾電池のようにコンビニや伝統的な雑貨店へ行っても買うことが出来ない。
特に使用者の所在地が交通不便な地であったり、電器屋がなければ、携帯電話の電池の購入にとても不便である。
【０００４】
本考案は以上の点に鑑みて成されたもので、様々の携帯電話メーカの様々なタイプの電池を、電池収容挟持器の挟持により収容でき、使用者の購買に便利する電池販売機になる電池収容挟持器の提供を期し、専念な観察かつ研究をし、さらに学術理論の運用に合せ、合理的に設計且つ組み立てし消費者に提供することは、本考案が創作しようとする動機である。
【考案の開示】
【考案が解決しようとする課題】
【０００５】
本考案の主な目的は、様々な異なるメーカや異なるタイプの電池が、配列的に挟持収容でき、使用者の購入の便利に供する電池販売機となる電池収容挟持器を提供することにある。
【課題を解決するための手段】
【０００６】
前記目的を達成すため、本考案が設計する電池収容挟持器は、主に、四つの角台座、四つの調整リンク、伸縮プッシュロッド、及び押ヘッドが設けられ、該伸縮プッシュロッドが、四つの角台座が囲まれる中心に設置され、押ヘッドが四つの角台座の上方に設置され、該四つの角台座の下方の二つの角台座の端部にストッパが対向的に突設され、且つ、四つの角台座の間に調整リンクが連結されている。
すなわち、本願の第１考案は、四つの角台座と、四つの調整リンクと、伸縮プッシュロッドと、押ヘッドとを具備し、前記伸縮プッシュロッドが、四つの角台座が囲まれる領域の中心に設置され、前記押ヘッドが四つの角台座の上方に設置され、前記四つの角台座のうちの下方の二つの角台座の端部にストッパが対向して形成されていて、前記四つの角台座の間の大きさを調整して、様々な大きさの異なる複数の同じ形式の電池を挟持して収容するように、前記四つの角台座の間を、調整リンクで連結したことを特徴とする、電池収容挟持器を提供する。
本願の第２考案は、前記四つの角台座は、断面略Ｌ字形を呈し、且つ下方の二つの角台座の底辺が短縮して形成されることを特徴とする、前記第１考案に記載の電池収容挟持器を提供する。
本願の第３考案は、前記押ヘッドが四つの角台座の上方の調整リンクに設置されることを特徴とする、前記第１考案に記載の電池収容挟持器を提供する。
本願の第４考案は、前記収容挟持器の周縁が、電池を挟持する充電端子の所在位置に応じて充電端子を設置することを特徴とする、前記第１考案に記載の電池収容挟持器を提供する。
本願の第５考案は、前記収容挟持器が、複数の組で且つそれぞれ適当な距離で板上に設置されることを特徴とする、前記第１考案に記載の電池収容挟持器を提供する。
本願の第６考案は、前記収容挟持器が、複数の組で堆積され、且つ収容挟持器の間にそれぞれブラケットで隔ていることを特徴とする、前記第１考案に記載の電池収容挟持器を提供する。
本願の第７考案は、前記複数組の収容挟持器の長さが、上から下へ徐々に小さくなっていることを特徴とする、前記第５または６考案に記載の電池収容挟持器を提供する。
【考案の効果】
【０００７】
本考案は、調整リンクで四つの角台座の間の大きさを調整できて、様々な異なる大きさの電池を設置して、複数の同じ形式の電池を収容できる。
よって、複数の電池収容挟持器で以って様々な異なる形式の電池を収容することができる。
【考案を実施するための最良の形態】
【０００８】
以下に図面を参照しながら本考案の実施の形態について説明する。
図１を参照して説明する。
本考案の電池収容挟持器１は、主に、略Ｌ字形の四つの角台座１１〜１４と、伸縮プッシュロッド１５と、少なくとも四つの調整リンク１６と、押ヘッド１７とを具備する。
該伸縮プッシュロッド１５は、四つの角台座１１〜１４が囲まれる領域の中心位置に設置される。
該四つの角台座１１〜１４の間にはそれぞれ少なくとも一つの調整リンクが相互連結的に設置される。
本実施例では、大きさの異なる様々な電池の四つの角に合わせて設置できるように、四つの角台座１１〜１４の安定性を増加するため、一方側毎に二つの調整リンク１６が設けられている。
下方の二つの角台座１３、１４のＬ字形底部が短縮して形成されていると共に、そのＬ字形底部の上方にストッパ１３１、１４１が対向方向に突設されている。
リングにより四つの角台座１１〜１４の上方の調整リンク１６には押ヘッド１７が設置される。
【０００９】
複数の同じ形式の電池３を四つの角台座１１〜１４の間に堆積できる。
複数の同じ形式の電池３の前方がストッパ１３１、１４１に当接され、電池３の後方が伸縮プッシュロッド１５で押えられるようにして、複数の同じ形式の電池３を整列状態で挟持して収容できる。
使用するときには、四つの角台座１１〜１４の上方の押ヘッド１７の衝撃で、一つの電池３を収容挟持器１から押し出し、且つ、電池が落ちてから、該伸縮プッシュロッド１５が前向きに押し出す。
四つの角台座１１〜１４のうち電池３が落ちたことに伴い発生する空間を充填して、整列した残りの電池３を継続して収容できる。
【００１０】
図２は、本考案に係る第１実施例を示す。
図２を参照すると、複数の収容挟持器１を板２上に装着する。
収容挟持器１毎に四つの角台座１１〜１４が、様々な異なるメーカの電池の四つの角に合わせて設置される。
押ヘッド１７毎がリンクで収容挟持器１毎の上方の調整リンク１６に連設される。
図３を参照すると、上方の一列目の収容挟持器１の長さが、二列目の収容挟持器１の長さより長く、二列目の収容挟持器１の長さが、三列目の収容挟持器１の長さより長くすることが必要であり、よって、収容挟持器１毎のうち挟持されている電池３が押ヘッド１７の衝撃を受ける時に、ともに底部の収容槽４内にスムーズに落下できる。
該収容槽４は逆テーパ状に形成されていると共に、その内部に衝撃防止マット４１が設置されていて、落ちてくる電池３が損傷しないようになっている。
【００１１】
また、図４に示すように、機器の空間が比較的に大きいと、収容挟持器１を一枚の板２に取り付けることに限らず、板２と同じ構造の板、例えば板２’とゆうように複数の板２に取り付けてもよく、使用者が適宜選択するようにする。
【００１２】
また、図５は本考案に係る第２実施例を示す。
図５を参照すると、収容挟持器１毎が周縁の調整リンク１６により大きさを調整した後に、伸縮プッシュロッド１５が結合部材を介して四つの角台座１１〜１４が囲まれる中心位置に可動的に結合される。さらに、ブラケット５により他の収容挟持器１の上方に堆積する。該収容挟持器１の長さが上から下へ徐々に減らし、このように、機器の空間を節約できるとともに、電池の充電端位置に応じて収容挟持器１の対応する調整リンク１６上に充電端子６を設置できる。該充電端子６により電池３を充電して、販売された電池３の電量をフル充電した状態を確保できる。
【００１３】
以上のように、本考案は予期の創作目的を達成でき、様々な異なるメーカや異なるタイプの電池が、配列的に挟持収容でき、使用者の購買に便利する電池販売機になる電池収容挟持器を提供することができる。
【００１４】
前記に開示された構成は、単に本考案の好ましい実施例に過ぎなく、本考案の特徴を局限するものではなく、いずれの当該分野における通常の知識を有する専門家が本考案の分野の中で、適当に変換や修飾などを実施できるが、それらの実施のことが本考案の請求の範囲に含まれるべきことは言うまでもないことである。
【図面の簡単な説明】
【００１５】
【図１】図１は、本考案による第１実施例の斜視外観図である。
【図２】図２は、本考案による第１実施例の販売機器に取り付けられたことを示す平面図である。
【図３】図３は、図２の側面を示す図である。
【図４】図４は、本考案による第１実施例の他の応用例である。
【図５】図５は、本考案による第２実施例の側面図である。
【符号の説明】
【００１６】
１・・・・・・収容挟持器
２、２’・・・・板
３・・・・・・電池
４・・・・・・収容槽
５・・・・・・ブラケット
６・・・・・・充電端子
１１〜１４・・角台座
１５・・・・・伸縮プッシュロッド
１６・・・・・調整リンク
１７・・・・・押ヘッド
４１・・・・・衝撃防止マット
１３１、１４１・・・・・ストッパ
【図１】
0003127855.tif 000003
【図２】
0003127855.tif 000004
【図３】
0003127855.tif 000005
【図４】
0003127855.tif 000006
【図５】
0003127855.tif 000007